(57)【要約】  電気ロックの、枢動または回転できる、作動要素の異なる側に配置され、このロックを貫通する連結軸（３）が介在してこのロックのロックタブ（６）に、一緒に回転するように連結できる、電気または電子部品を電気接続するための装置に於いて、連結軸（３）が中に電線またはケーブル（１）を挿入した軸方向溝を有する。これらの電線またはケーブル（１）が嵌め込んである連結軸（３）は、連結軸（３）に押付けられ且つ中空軸（７）に入るスリーブ（４）が嵌めてあり、連結軸（３）は、それらが一緒に回転するように、接続すべき電気または電子部品、またはそれらのボードに結合してあり、および作動要素と、それらが一緒に回転するように、結合可能または結合してある、中空軸（７）は、ロックのためのロックタブ（６）を作動し、且つこれらの電子部品が嵌めてある連結軸（３）に連結できる。
2009531567.tif 000002
【特許請求の範囲】
【請求項１】
電子ロックのための枢動可能または回転作動部材における前記電子ロックの異なる側に配置され、前記ロックを貫通する介在連結軸を介して前記ロックのロックノーズと回転固定式に結合可能な、電気または電子部品を電気接続するための装置であって、前記連結軸（３）が中に電線またはケーブル（１）を挿入した軸方向溝を含むこと、これらの電線またはケーブル（１）を担持する連結軸（３）が該連結軸（３）に嵌め且つ中空軸（７）に達するスリーブ（４）を担持すること、前記連結軸（３）がこれらの接続すべき電気または電子部品、またはそれらのボードと回転高速態様で結合してあること、および作動部材と回転高速態様で結合可能または結合してある、この中空軸（７）がこのロックのためのロックノーズ（６）を作動し且つこれらの電子部品を担持する連結軸（３）に連結できることを特徴とする装置。
【請求項２】
請求項１に記載の装置であって、前記連結軸（３）に嵌めた前記スリーブ（４）が前記連結軸（３）に対するより前記中空軸（７）に対して大きい半径方向遊びを有することを特徴とする装置。
【請求項３】
請求項１または２に記載の装置であって、前記連結軸（３）に嵌めた前記スリーブ（４）が、そのジャケット外面で、磨いてあるかまたは摩擦低減被膜を備えることを特徴とする装置。
【請求項４】
請求項１、２または３のいずれか一項に記載の装置であって、前記中空軸（７）が連結装置を介して前記ロックノーズ（６）を担持するリング（５）と回転高速態様で連結してあることを特徴とする装置。
【請求項５】
請求項１ないし４の何れか一項に記載の装置であって、前記フラットバンド・ケーブル（１）の自由端がプラグ接点および、特に、プリント回路基板のピン接点用プラグブッシュに接続してあることを特徴とする装置。
【発明の詳細な説明】
【技術分野】
【０００１】
この発明は、電子ロックの枢動可能または回転作動部材の異なる側に配置され、このロックを貫通する介在連結軸を介してこのロックのロックノーズと回転固定式に結合可能な、電気または電子部品を電気接続するための装置に関する。
【背景技術】
【０００２】
最初に定義した種類の電子ロック装置は、例えば、ＤＥ  ２９９１１０９７  Ｕ１に記載してある。その様な電子ロック装置は、内側に位置するハウジング部および外側に位置するハウジング部を含んで、これら二つのハウジング部の間に配置したボルトを操作するための閉鎖部材を含み、このロック装置を操作するための電気および電子部品は各々二つのハウジング部で受けてある。複式ノブ・シリンダロックの場合、各々ノブで作ってある、これら二つのハウジング部は、それらの空洞にこのロック装置を操作するためのそれぞれの手段および、特に、外側にある識別媒体用接触または読取り装置および内側にある評価スイッチまたは連結装置を含む。これら二つの電気または電子部品は、このロックの中を導く電気接続によって電気的に結合しなければならない。このため、ＤＥ  ２９９１１０９７  Ｕ１は、それぞれの対向する側に設けた適当な座に挿入できるスラスト抵抗性導体トラック担体を設け、上記座は、接触ブッシュとして設計してあり且つ複数の接点を介してこの導体トラックに結合してある。これによって、複数の導体トラックが並列に配置してある。安全な電気的接触を保証するために、それぞれの導体トラックは、公差の補償ができるように最小限の幅がなければならず、それによって、その様なロック装置を固定するドアの種々の厚さを考慮に入れるためにこの導体トラック担体をこのブッシュに異なる深さで挿入できる。この公差補償およびこの導体トラック担体が軸方向に変位しても電気的接触を保証する必要性のために、これらの導体トラックそれ自体を比較的広い寸法にしてなければ成らず、その結果、例えば、その既知の構成では三つの導体トラックが導体トラック担体上に並列に設けてある。かなり大きい数の導体トラックの配置は、スペースの理由で容易には可能でなくおよび、選択したプラグ接触接続形式では、公差問題は勿論、接触安全性に関する問題も伴うだろう。
【発明の開示】
【発明が解決しようとする課題】
【０００３】
本発明は、部品の回転による摩耗および損傷のリスクを伴わず、同時に、多数の電線の電子部品との接触に適当な安全性も保証しながら、多数の電気導体をロック装置の片側から他の側まで安全に案内できる、最初に定義した種類の装置を提供することを目的とする。
【課題を解決するための手段】
【０００４】
この課題を解決するために、この発明による装置は、本質的に連結軸が中に電線またはケーブルを挿入した軸方向溝を含むこと、これらの電線またはケーブルを担持する連結軸がこの連結軸に嵌め且つ中空軸に達するスリーブを担持すること、この連結軸がこれらの接続すべき電気または電子部品、またはそれらのボードと回転固定式に結合してあること、および作動部材と回転高速態様で結合可能または結合してあり、中空軸がロックのためのロックノーズを作動し且つこれらの電子部品を担持する連結軸に連結できることにある。
【発明の効果】
【０００５】
電線またはケーブルが連結軸の溝に挿入してあるという事実のために、従来のフラットバンド・ケーブルを使うことが可能であり、およびその様なフラットバンド・ケーブル若しくはワイヤ、またはケーブルがこの連結軸に嵌めたスリーブによって後に機械的に保護されているという事実のために、比較的細いワイヤおよび、従って、高度に柔軟なケーブルでさえ使うことが可能である。その様なフラットバンド・ケーブルとの接触がその様なフラットバンド・ケーブル用の従来の連結装置で可能であり、それによって普通のプリントプラグを使ってもよく、それは、嵌めることによって、プリント回路基板のグリッドに対応して比較的狭い様式で配置した接触ピンと電気的に接続できる。これらのプラグそれ自体は、比較的小さく且つ僅かな距離で隣接する接点を含み、この発明による構成では、連結軸の外周に複数の溝を配置することによって、複数の異なるケーブル、ワイヤおよび／またはフラットバンド・ケーブルも使うことができる。フラットバンド・ケーブルの場合に接触に要する過剰な長さのケーブルは、Ｓ字形状に折りたたむことによって比較的小さい空洞に容易に配置することができ、それで作動部材および、特に、それぞれのノブを容易に嵌め且つ固定できる。この様にして、それなりに多数の電気導線を非常に小さいスペースに安全且つ保護された方法で収容することが可能であり、この実質的に締付けるように嵌めたスリーブによって機械的保護が高度に保証される。
【０００６】
特に有利な方法で、この構成は、連結軸に嵌めたスリーブが、この連結軸に対するよりこの中空軸に対して大きい半径方向遊びを有するように工夫してある。この態様において、このスリーブが連結部材と一緒に自由に回動するとき、スリーブそれ自体がこの連結軸と非回転時に結合されたままであることは保護される。この場合、内側に位置するノブの内部に配置され、それ自体まだこのロックノーズを作動するノブまたは中空軸に連結してない電子部品がこの中空軸と一緒に回転し、従ってこの電気的連結が効果を現すまでその休止位置に留まる。どんな場合にもその様な自由な回転可能性を保証するために、この構成は、連結軸に嵌めたスリーブが、そのジャケット外面で、磨いてあるかまたは摩擦低減被膜を備えるように工夫するのが好都合である。
【０００７】
この種の電子ロックでは、ボルトの解放、従ってこのロックの解錠は、識別媒体の識別および鍵としてのこの確認媒体の正当性を確認する評価後に行う。この場合、連結装置を作動し、それによってこの中空軸を連結装置を介してロックノーズを担持するリングと回転高速態様で連結するので、特に簡単な方法での構成を実現できる。
【０００８】
例えばフラットバンド・ケーブルの形の、最初に述べた複数の電気導体は、この評価電子装置のための接触して識別媒体を読取るための、または無接触識別媒体の識別のためのそれぞれの電子部品と共に、非常に小さいスペースに従来の回路基板プラグを備えてもよい。このため、この構成は、フラットバンド・ケーブルの自由端がプラグ接点および、特に、プリント回路基板のピン接点用プラグブッシュに接続してあるように工夫してあるのが都合がよい。
【実施例】
【０００９】
以下に、この発明を図面に概略的に示す実施例によって更に詳しく説明する。
図１で、フラットバンド・ケーブルを１で示し、それは、外方に位置するノブに結合した、作動軸２の一部を貫通する。この軸２は、外周に適当な溝を備え、その中にフラットバンド・ケーブル１が挿入してある連結軸３を担持する。この連結軸３および挿入したフラットバンド・ケーブル上に、後にスリーブ４を図２に示すようにこのフラットバンド・ケーブルを覆うように嵌め且つ摩耗から保護するように連結軸３に結合する。図１は、更に、部品またはリング５を描き、そのロックノーズを６で示す。この部品は、回転高速態様で中空軸７に結合してあり、次に、上記中空軸は、回転高速態様でノブ円板８に結合してある。このフラットバンド・ケーブル１は、再びこの中空軸７およびノブ円板８を貫通する。図２による組立てた状態で、回転高速態様でノブ円板８に結合したノブは、中空軸７を介してロックノーズ６を担持する部品５を回動できることを見るべきである。後にこの部品を突進んだ連結軸３は、介在するスリーブ４を介して中空軸７の内部を摺動案内され、従って、図示しない外方に位置するノブを操作してもロックノーズ６を回転できない。この組立てた状態から、連結軸３がノブ円板８を貫通することは明らかである。この連結軸３は、図示しない評価回路と回転高速態様で結合でき、次に、その回路は、結合駆動装置も担持してよい。必要なプラグ結合部を図３でこのフラットバンド・ケーブルの両側に９で示す。作動軸２と連結軸３を回転すると、この評価回路とこの連結のためのそれぞれの担体とをノブ円板８に結合したノブの内部で自由に回転させる。正しい識別後に初めて、ノブ円板８とボード上に配置した連結部材とが連結され、それによって軸２の操作が後にノブ円板８、従って中空軸７も回転させ、この様にしてボルトを操作するためのノーズ６をそれに応じて動けるようにする。
【図面の簡単な説明】
【００１０】
【図１】このケーブルブッシングに必要な部品の分解図である。
【図２】図１による部品を半組立状態で示す。
【図３】この発明による装置を組立てた状態の透視図である。
【図１】
2009531567.tif 000003
【図２】
2009531567.tif 000004
【図３】
2009531567.tif 000005
【国際調査報告】
2009531567.tif 000006
2009531567.tif 000007
2009531567.tif 000008
2009531567.tif 000009
2009531567.tif 000010
2009531567.tif 000011